(57)【要約】【課題】  大型冷蔵保管庫、低温食品物流センター等冷却室内の冷房において、冷風が直接作業員の身体に当ることがなく、送風機などの機械音も従来より低減して作業効率の向上が図れ、また、メンテナンスも営業中の室内作業の妨げとならない室外（天井裏）で行うことのできる冷気吹出し構造を提供する。【解決手段】  天井裏のユニット収納室７に設置した冷却ユニット１に連通する冷気送風用のダクト２を、冷却室３の天井裏に載置し、この冷気送風ダクト２の下面とこれに対向する天井パネル４とを貫通して冷風の吹出口５を形成するとともに、天井の直ぐ下に、やや隙間をおいて、ダクト２に沿わせて吹出口幅より大きめの風向板６を吊設する。この風向板６で吹出口５からの冷風を反射させ、風向板６と天井パネル４との隙間から冷気を室内に自然落下させる。【選択図】  図１
0003127991.tif 000002
【実用新案登録請求の範囲】
【請求項１】
冷却ユニットからの冷気送風用のダクトを冷却室の天井裏に載置し、該ダクトの下面とこれに対向する天井面とをそれぞれ貫通して冷風の吹出口を形成するとともに、この天井の下方に前記吹出口よりも大きめの風向板を前記ダクトに沿わせて配設し、前記吹出口からの冷風をこの風向板で反射させ、風向板と天井との隙間を通して冷気を室内に自然落下させることを特徴とする冷却室の冷気吹出し構造。
【請求項２】
前記風向板は、薄板の断熱パネルであることを特徴とする請求項１記載の冷却室の冷気吹出し構造。
【考案の詳細な説明】
【技術分野】
【０００１】
本考案は、大型冷蔵保管庫、低温食品物流センター等の冷却室を冷却システムで冷却する際に採用される冷却ダクトにおける冷気の吹出し構造に関する。
【背景技術】
【０００２】
冷蔵庫、大型冷蔵保管庫、低温食品物流センター、食品加工センター等の冷却室を冷却するのに、従来は、例えば、特許文献１に示すような天吊型の冷却器が使用されている。
【特許文献１】特開平１１−２１１２１５号公報
【考案の開示】
【考案が解決しようとする課題】
【０００３】
このような従来の天吊型の冷却器では、強制対流となるため、冷却室内の作業員の身体に直接冷風が当り、体感温度が低くなると共に、室内に不快な送風機などの機械音がして作業効率に影響を及ぼすことがあった。
また、従来の天吊型の冷却器では、室内に設置されるため、冷却器の故障修理及び洗浄等のメンテナンスを、営業中の室内の作業を中断して行わなければならないという、煩雑さがあった。
【０００４】
本考案は上記の課題に鑑み創案されたもので、自然対流に近いエアダクト方式の採用と風向板による反射効果で、ダクトからの冷気が室内に自然落下する冷気吹出し構造を採用し、冷風が直接作業員の身体に当らないようにして作業員の体感温度の低下を防止して不快感をなくした冷却室における冷気の吹出し構造を提供することを目的とする。
また、本考案は、送風機などの不快な機械音が室内の作業スペースに響くことを極力防止して作業環境を快適に保ち、作業効率の向上を図ることのできる冷却室における冷気吹出し構造を提供することを目的とする。
更に、本考案は、メンテナンス作業を天井裏に設けたユニット収納室で行うことにより、メンテナンス作業を容易とした冷却室の冷気吹出し構造を提供することを目的とする。
【課題を解決するための手段】
【０００５】
上記の課題を解決するため、本考案の冷却室の冷気吹出し構造は、天井裏のユニット収納室に設置した冷却ユニットに連通する冷気送風ダクトを、冷却室の天井裏に載置して配設し、この冷気送風ダクトの下面とこれに対向する天井面とを貫通して冷風の吹出口を形成するとともに、この天井の下方に、前記吹出口よりも大きめの風向板を前記ダクトに沿わせて形成し、前記吹出口からの冷風をこの風向板で反射させ、風向板と天井との隙間を通して冷気を室内に自然落下させることを特徴とする。この風向板としては、薄板の断熱パネルを用いることが好ましい。
【考案の効果】
【０００６】
本考案の冷気吹出し構造によれば、次のような効果を奏する。
（１）冷風が風向板により反射して自然落下するエアフローとなるので、冷風が直接作業員の身体に強く当たって体温の熱を極端に奪うことはなく、作業員に不快感を与えない。
（２）室内の作業スペースでは不快な機械音もほとんど聞こえないので、快適な職場空間で作業を行うことができ、作業効率の向上が期待できる。
（３）室内の商品に直接冷風が当たることはないので、室内の商品全体をむらなく最適な温度に保つことができる。また、エアフィルターを装備することにより、冷却除塵されたクリーンな冷気を循環して均等な温度管理を行うことができ、品質管理にも万全を期すことができる。
（４）冷却ユニット（冷却器など）が室内ではなく天井裏に設けたユニット収納室に設置されているため、冷却器の故障時における修理や洗浄等を、営業中の室内作業を邪魔せずに行うことができる。
（５）冷却器の冷媒配管・電気工事及びドレン配管工事等が天井裏に設けたユニット収容室になり、極めて短くできるため、ガス漏れ等の故障の危険もそれだけ少なくなり、また、メンテナンス費用の軽減にもつながる。
（６）冷却室内に、従来型の冷却器及びドレン配管等の設備が無くなるので、室内のスペースが有効に利用できる。
【考案を実施するための最良の形態】
【０００７】
以下、本考案を図面に示す形態例に基づいて説明する。
図１は天井裏のユニット収納室に冷却ユニットを設置し、ダクトを冷却室の天井裏に引いた場合の断面側面図、図２は同じく平面図である。
【０００８】
本考案の冷気吹出し構造は、図１及び図２に示すように、天井裏に設けたユニット収納室に設置した冷却ユニット１から、チャンバーを介して、冷気送風用のダクト２が天井裏を略直線上に延び、冷却室１１の天井裏に載置されている。この天井裏に載置されたダクト２の下面とこれと対向する天井パネル４との当接部にはダクト長手方向に複数個の開口を穿設して（貫通して）、冷風の吹出口５を形成している。
また、天井パネル４の直下位置には、前記天井裏に載置したダクト２に沿わせ、且つ天井パネル下面と所定間隔をおいて、前記吹出口５の幅よりも大きめの風向板６が、冷却室３の天井パネル４などに吊設されて保持されている。
そのため、冷却ユニット１からダクト２を通って供給された冷風は、吹出口５より風向板６に向って吹き出され、風向板６に反射されて、風向板６と天井パネル４の隙間を通って、冷却室３内に自然落下する。
なお、図１に示すように、天井裏のユニット収納室７直下の天井パネル４には、吸込口８が設けられ、ここに取り付けたフィルターにより、リターン空気が除塵される。
【０００９】
前記風向板６の材質は断熱パネルが好適であり、板厚は５〜１５ｍｍ、大きさは例えば、畳一帖分のパネルを継ぎ合せることにより形成できる。
なお、冷風の吹出口５には、送風を整えるためのスリット等が形成されている。また、天井パネル４は、冷却室３の天井上部の梁９などに吊下げ金具１０などで吊り下げて、補強をはかっている。
【００１０】
このように構成すると、冷却ユニット１から冷却室３の内側に搬送された冷気は、ダクト２を通して吹出口５から風向板６に反射され、この風向板６と天井パネル４との隙間から自然落下して冷却室３の室内に放冷され、同量の空気が吸込口８のフィルターを通ることで除塵される。
そして、この循環を繰り返すことで冷却室３に自然対流が生まれ、室内を隅々までクリーンな冷気で冷却することができる。
また、冷風が直接作業員の身体に当たらないため、体感温度も極端に低くならず、不快な送風機などの機械音も極力低減できるなど、静かでクリーンな作業環境を整えることができる。しかも、商品をむらなく均一に保冷することができるので、最適な温度設定を行うことで品質管理に万全を期すことができる。
【図面の簡単な説明】
【００１１】
【図１】本考案の一形態例を示す断面側面図である。
【図２】本考案の一形態例を示す平面図である。
【符号の説明】
【００１２】
１  冷却ユニット
２  ダクト
３  冷却室
４  天井パネル
５  吹出口
６  風向板
７  ユニット収納室
８  吸込口
９  梁
１０  吊下げ金具
【図１】
0003127991.tif 000003
【図２】
0003127991.tif 000004